(57)【特許請求の範囲】
【請求項１】
ａ）平板状の第１ライナーシートと第２ライナーシートを、その互いのシート面が対向するように且つ同一方向に供給する第１、第２ライナーシート供給工程と、
ｂ）前記第１、第２ライナーシートのシート供給方向に対して、波進行方向が直交する波板状の第１コルゲートシートと、波進行方向が平行する波板状の第２コルゲートシートとを成形する第１、第２コルゲートシート成形工程と、
ｃ）前記第１、第２コルゲートシート成形工程の後に、前記第１ライナーシート、前記第２ライナーシート、前記第１コルゲートシート、前記第２コルゲートシートにそれぞれ接着剤塗布手段にて接着剤を塗布する接着剤塗布工程と、
ｄ）前記接着剤塗布工程の後に、前記第１ライナーシートと前記第１コルゲートシートとを、また前記第２ライナーシートと前記第２コルゲートシートとを予めそれぞれ重ね合わせロールにて重ね合わせる重ね合わせ工程と、
ｅ）前記重ね合わせ工程の後に、前記第１ライナーシートと前記第１コルゲートシートとを重ね合わせた重ね合わせシート１と、前記第２ライナーシートと前記第２コルゲートシートとを重ね合わせた重ね合わせシート２との間に、平板状の１枚の中間ライナーシートを供給し、かつ、前記重ね合わせシート１と前記重ね合わせシート２と前記中間ライナーシートとを張り合わせロールにて一度にラミネートする積層工程と、を含むことを特徴とする段ボール製造方法。
【請求項２】
平板状の第１ライナーシートと第２ライナーシートを、その互いのシート面が対向するように且つ同一方向に供給する第１、第２ライナーシート供給手段と、前記第１、第２ライナーシートのシート供給方向に対して、波進行方向が直交する波板状の第１コルゲートシートと、波進行方向が平行する波板状の第２コルゲートシートとを成形する第１、第２コルゲートシート成形手段と、前記第１、第２コルゲートシート成形工程の後に、前記第１ライナーシート、前記第２ライナーシート、前記第１コルゲートシート、前記第２コルゲートシートにそれぞれ接着剤塗布手段にて接着剤を塗布する接着剤塗布手段と、前記接着剤塗布工程の後に、前記第１ライナーシートと前記第１コルゲートシートとを、また前記第２ライナーシートと前記第２コルゲートシートとを予めそれぞれ重ね合わせロールにて重ね合わせる重ね合わせ手段と、前記重ね合わせ工程の後に、前記第１ライナーシートと前記第１コルゲートシートとを重ね合わせた重ね合わせシート１と、前記第２ライナーシートと前記第２コルゲートシートとを重ね合わせた重ね合わせシート２との間に、平板状の１枚の中間ライナーシートを供給し、かつ、前記重ね合わせシート１と前記重ね合わせシート２と前記中間ライナーシートとを張り合わせロールにて一度にラミネートする積層手段と、を備えることを特徴とする段ボール製造装置。
【発明の詳細な説明】
【技術分野】
【０００１】
本発明は、各種の物品の運搬や保管に用いられる箱体や、箱体内に使用される仕切り、あるいはその他の構造物などに使用される紙製などの段ボール、及びその製造方法及びその装置に関する。
【背景技術】
【０００２】
一般的に段ボールは、一定方向に波進行方向を有する波板状に屈曲した紙を主体とする材料からなる１枚の中芯（コルゲートシート）に、当該中芯を挟むように互いに対向する平板状の２枚のライナーシートを重ね貼り合わせたものである。
【０００３】
このような構成の段ボールは、対向する２枚のライナーシートの間に、ライナーシートと一定方向に波進行方向を有する波状（山部と谷部）に屈曲した中芯によって形成される多数の筒状部と筒状空間（筒状中空部）が、平行線状にストライプ状に形成されて、かかる構成の段ボールは、搬送用の箱など物品を衝撃から保護するために多用されている。また、箱の中において、物品の配置を規定する仕切りにも使用されている。
【０００４】
このような段ボールは、ライナーシートと中芯によって形成される筒状部の長さ方向と直交する方向を屈曲線とする曲げ強度は強いものの、筒状部の長さ方向と平行する方向を屈曲線とする曲げ強度は比較的弱い傾向がある。
【０００５】
そこで、段ボールを構成するライナーシートと中芯（コルゲートシート）とを交互に重ね合わせ、中芯を筒状部のストライプ方向（筒長さ方向）が直交する２つの方向になるように配置することにより曲げ強度が強化された段ボール材が、特許文献１に提案されている。この段ボール材は、中芯の片面だけにライナーシートを配置した段ボール（片面段ボール）の複数枚を、ライナーシートと中芯が接するようにして交互に重ね合わせ、中芯の筒状部のストライプ方向を互いに直交させて貼り合わせた構造を備えている。
【０００６】
また、中芯の両面にライナーシートを配置した段ボール（両面段ボール）の複数枚を、そのライナーシートが互いに重ね合わせられるように、且つその中芯の筒状部のストライプ方向を交互に直交させて貼り合わせて形成した段ボールも提案されている。
【０００７】
しかしながら、複数枚の片面段ボールをライナーシートと中芯が互いに接するように、中芯の筒状部の長さ方向を直交させて重ねて形成した段ボールでは、一方の最外面（主面）にはライナーシートが配置されておらず、ライナーシートが貼り合わされておらず、中芯の筒状部の長さ方向が直交して形成されていたとしても、中芯の山部（又は谷部）の筒状部の長さ方向と平行する方向を屈曲線とする段ボールの曲げ強度は弱くなり、段ボールを用いて形成した箱に十分な強度を与えることができない。
【０００８】
また、複数枚の両面段ボールを、その中芯の筒状部の長さ方向を直交させて重ねて形成した段ボールの場合は、貼り合わせ部分のライナーシート同士が重なるため、段ボールの厚さ及び重さが増加してしまう傾向がある。
以下に、本発明に関連する先行技術文献を記載する。
【先行技術文献】
【特許文献】
【０００９】
【特許文献１】特開２０００−３３４８６５号公報
【発明の概要】
【発明が解決しようとする課題】
【００１０】
本発明は、段ボールを構成するライナーシートと中芯（コルゲートシート）とにより形成されるストライプ状の筒状中空部の筒長さ方向を直交させることにより強度を向上させるとともに、複数枚の片面段ボール又は両面段ボールを重ね合わせて筒状中空部の筒長さ方向を直交させて段ボールの強度を向上させた従来の段ボールの上記問題点を解消することにある。
【課題を解決するための手段】
【００１３】
本発明の請求項１に係る発明は、ａ）平板状の第１ライナーシートと第２ライナーシートを、その互いのシート面が対向するように且つ同一方向に供給する第１、第２ライナーシート供給工程と、ｂ）前記第１、第２ライナーシートのシート供給方向に対して、波進行方向が直交する波板状の第１コルゲートシートと、波進行方向が平行する波板状の第２コルゲートシートとを成形する第１、第２コルゲートシート成形工程と、ｃ）前記第１、第２コルゲートシート成形工程の後に、前記第１ライナーシート、前記第２ライナーシート、前記第１コルゲートシート、前記第２コルゲートシートにそれぞれ接着剤塗布手段にて接着剤を塗布する接着剤塗布工程と、ｄ）前記接着剤塗布工程の後に、前記第１ライナーシートと前記第１コルゲートシートとを、また前記第２ライナーシートと前記第２コルゲートシートとを予めそれぞれ重ね合わせロールにて重ね合わせる重ね合わせ工程と、ｅ）前記重ね合わせ工程の後に、前記第１ライナーシートと前記第１コルゲートシートとを重ね合わせた重ね合わせシート１と、前記第２ライナーシートと前記第２コルゲートシートとを重ね合わせた重ね合わせシート２との間に、平板状の１枚の中間ライナーシートを供給し、かつ、前記重ね合わせシート１と前記重ね合わせシート２と前記中間ライナーシートとを張り合わせロールにて一度にラミネートする積層工程と、を含むことを特徴とする段ボール製造方法である。
【００１５】
本発明の請求項２に係る発明は、平板状の第１ライナーシートと第２ライナーシートを、その互いのシート面が対向するように且つ同一方向に供給する第１、第２ライナーシート供給手段と、前記第１、第２ライナーシートのシート供給方向に対して、波進行方向が直交する波板状の第１コルゲートシートと、波進行方向が平行する波板状の第２コルゲートシートとを成形する第１、第２コルゲートシート成形手段と、前記第１、第２コルゲートシート成形工程の後に、前記第１ライナーシート、前記第２ライナーシート、前記第１コルゲートシート、前記第２コルゲートシートにそれぞれ接着剤塗布手段にて接着剤を塗布する接着剤塗布手段と、前記接着剤塗布工程の後に、前記第１ライナーシートと前記第１コルゲートシートとを、また前記第２ライナーシートと前記第２コルゲートシートとを予めそれぞれ重ね合わせロールにて重ね合わせる重ね合わせ手段と、前記重ね合わせ工程の後に、前記第１ライナーシートと前記第１コルゲートシートとを重ね合わせた重ね合わせシート１と、前記第２ライナーシートと前記第２コルゲートシートとを重ね合わせた重ね合わせシート２との間に、平板状の１枚の中間ライナーシートを供給し、かつ、前記重ね合わせシート１と前記重ね合わせシート２と前記中間ライナーシートとを張り合わせロールにて一度にラミネートする積層手段と、を備えることを特徴とする段ボール製造装置である。
【発明の効果】
【００２０】
本発明の段ボール製造方法によれば、ライナーシート、波板状の中芯（コルゲートシート）、平板状の中間ライナーシート、波板状の中芯（コルゲートシート）、ライナーシートの順番に貼着して積層した１枚の段ボールであって、かつ、その中芯がその段ボールの表裏側において、それぞれ筒状中空部の筒長さ方向が直交している構造を有する段ボールを能率的に製造することが可能であり、インラインで、曲げ強度が高い段ボールを効率的に製造することが可能となるものである。
【００２１】
本発明の段ボール製造装置によれば、ライナーシート、波板状の中芯（コルゲートシート）、平板状の中間ライナーシート、波板状の中芯（コルゲートシート）、ライナーシートの順番に貼着して積層した１枚の段ボールであって、かつ、その中芯がその段ボールの表裏側において、それぞれ筒状中空部の筒長さ方向が直交している構造を有する段ボールを能率的に製造することが可能であり、インラインで、曲げ強度が高い段ボールを効率的に製造することが可能となるものである。
【００２２】
このように、本発明の段ボールの製造方法及び製造装置によって作製された段ボールは、表裏側の各々筒状中空部が互いに直交しており、直交する２つの筒長さ方向において、共に同等の曲げ強度を達成することができる。また、従来の段ボールよりも厚さを薄く、且つ軽量化させることができる。
【図面の簡単な説明】
【００２３】
［図１］本発明の段ボールの製造方法及び製造装置により作製された段ボールの基本的な
構成について説明するための参考図。
［図２］本発明の段ボール製造方法及び製造装置の基本的な構成について説明するための
参考図。
［図３］本発明の段ボール製造方法及び製造装置を説明する概要全体側面図。
［図４］本発明の段ボールの製造方法及び製造装置により作製された段ボールの側面図。
【発明を実施するための形態】
【００２４】
本発明の段ボールの製造方法及び製造装置により作製された段ボールの基本的な構成について図面に基づいて説明する。図１は本発明の段ボールの製造方法及び製造装置により作製された段ボールの基本的な構成を説明するために用いた参考図であり、段ボールの外観斜視図を示しており、段ボールの最外面を構成する平板状の第１ライナーシートと第２ライナーシートを備え、該第１ライナーシート及び第２ライナーシートの間に２枚の波板状に屈曲した山部と谷部とを有するコルゲートシートが挟持されている。この２枚のコルゲートシートは、第１ライナーシートと重ね合わされる方のコルゲートシートを第１コルゲートシートとし、第２ライナーシートと重ね合わされる方のコルゲートシートを第２コルゲートシートとした構成が段ボールの基本的な構成である。
【００２５】
前記平板状の第１ライナーシートと重ね合わせられた波板状の第１コルゲートシートとの間には、波板状の第１コルゲートシートの波進行方向に対して直交する方向にストライプ状の筒状中空部３ａが形成される。また、前記平板状の第２ライナーシートと重ね合わせられた裏面側の波板状の第２コルゲートシートとの間には、波板状の第２コルゲートシートの波進行方向に対して直交する方向にストライプ状の筒状中空部４ａが形成される。
【００２６】
そして、２枚の第１、２ライナーシートの間に挟まれた波板状の各々前記第１、２コルゲートシートは、それぞれの筒状中空部３ａ、４ａの筒長さ方向を互いに交差させて第１、２ライナーシートの間に挟まれている。
【００２７】
なお、各々前記第１、２コルゲートシートのそれぞれ波板状の波長及び振幅は同一又は近似したものが好ましいが、特に限定されるものではない。また、第１、２ライナーシート、第１、２コルゲートシートのシート材質は、紙又は紙を主体とする樹脂フィルム（又は樹脂コーティンク膜）との複合シートであってもよい。また、第１、２ライナーシート、第１、２コルゲートシートのシート厚さや剛度（腰の強さ）も、特に限定されない。
【００２９】
図２は、本発明の段ボール製造方法及びその装置の基本的な構成について説明するために参考のために示した斜視図であり、本発明の段ボール製造方法及びその装置についての基本的な構成について説明する。
まず、長尺状（ウエブ状）の平板状の第１ライナーシートと、第２ライナーシートを、その互いのシート面が対向するように、且つ同一方向に供給する。
【００３０】
そして、前記２枚の第１、２ライナーシートの対向間に、波板状の２枚の第１、２コルゲートシートを、その波進行方向を互いに直交させて供給する。これが本発明の段ボール製造方法及びその装置についての基本的な構成である。
【００３８】
本発明の段ボールの製造方法及びその段ボールを製造するための製造装置の一実施の形態を、図３に示す概要側面図に基づいて説明すれば、長尺状（ウエブ状）であって平板状の第１ライナーシートと第２ライナーシートを、その互いのシート面が対向するようにして、同一方向に巻き出し供給する上下方向一対のライナーシート供給手段１１、１１（巻き出し部）と、第１、２ライナーシートの対向間に長尺状（ウエブ状）であって波板状の第１コルゲートシートと第２コルゲートシートを、その波進行方向を互いに直交させて巻き出し供給する上下一対のコルゲートシート供給手段２１（巻き出し部）を備えている。
【００３９】
第１、２ライナーシート供給手段１１、１１による第１ライナーシートと第２ライナーシートの巻き出し供給方向には（必要に応じて設けた上下方向一対の各々ガイドロール３１、３１と、僅かな距離に離間して対向する一対の重ね合わせロール３２、３２を介して）、貼り合わせロール３３（ラミネートロール）を備えている。
【００４０】
また、ライナーシート供給手段１１と貼り合わせロール３３とのシート送行間には、接着剤塗布手段３５が備えられており、第１ライナーシートと第２ライナーシートの互いの対向内面に接着剤を塗布する。
【００４１】
また、第１、２コルゲートシート供給手段２１、２１による第１コルゲートシートと第２コルゲートシートの巻き出し供給方向には（必要に応じて設けた僅かな距離に離間して対向する一対の重ね合わせロール３２、３２を介して）、前記貼り合わせロール３３（ラミネートロール）を備える。また、コルゲートシート供給手段２１と貼り合わせロール３３とのシート送行間には、接着剤塗布手段３５を備え、第１コルゲートシートと第２コルゲートの互いの対向内面に接着剤を塗布する。
また、上下一対の前記コルゲートシート供給手段２１の間に、１基の中間ライナーシート供給手段１５を備えることにより、コルゲートシート供給手段２１、２１により供給される２枚の第１、２コルゲートシートの間に平板状の１枚の中間ライナーシート５を供給することにより、第１ライナーシートと第２ライナーシートとの間に中間ライナーシート５が挟まれ貼着されて、図４に示すような、第１ライナーシートと、波進行方向が互いに直交する第１コルゲートシートと第２コルゲートシートと、その第１、２コルゲートシートの間に挟まれた中間ライナーシート５と、第２ライナーシートとからなる段ボールが製造される。
【００４３】
なお、一対の前記コルゲートシート供給手段２１、２１により巻き出される第１、２ライナーシートのシート供給方向の後段には、そのシート供給方向に対して、波進行方向が直交する波板状の第１コルゲートシートを成形する一対の対向する第１コルゲートシート成形部２７、２７と、波進行方向が平行する波板状の第２コルゲートシートを成形する一対の対向する裏面側コルゲートシート成形部２５，２５を備える。
【００４４】
そして、第１、２コルゲートシート成形部２５、２７の後段に、第１、２ライナーシート間に供給された波進行方向が直交する第１、２コルゲートシートを貼り合わせる貼り合わせロール３３（ラミネート手段）を備える。
【００４５】
本発明装置においては、一対の前記コルゲートシート供給手段２１、２１のそれぞれ第１、２コルゲートシート成形部２５、２７（コルゲータ、コルゲートシート成形ロール）は、第１、２コルゲートシートの供給方向に沿って１基又は複数基が配置されている。
【００４６】
また、前記コルゲータ２５、２７は、平板状に供給される前記第１、２コルゲートシートを、そのシート幅中心部から幅方向の両外側に向かって、順に波板状に成形するように配置されている。
【符号の説明】
【００４８】
１…第１ライナーシート
２…第２ライナーシート
３…第１コルゲートシート
４…第２コルゲートシート
５…中間ライナーシート
１１…第１、第２ライナーシート供給手段
２１…第１、第２コルゲートシート供給手段
２５…コルゲータ
２７…コルゲータ
３３…貼り合わせロール
【図１】
0005573915.tif 000002
【図２】
0005573915.tif 000003
【図３】
0005573915.tif 000004
【図４】
0005573915.tif 000005